(57)【要約】  本発明は、ホースカップリングのための連結部品、例えば消防ホースのためのホースカップリングに関する。本発明による連結部品は、環状要素と、前記環状要素に且つ前記環状要素上に配置された多数のフック状連結要素であって、カップリングを形成する目的で対応する連結部品の対応する連結部品に係合するように構成された多数のフック状連結要素と、前記フック状連結要素の内向き側に設けられた壁面であって、前記連結部品の主貫流方向に対して面取り角度で設けられた壁面と、を備える。
2021520475.tif 000002
【特許請求の範囲】
【請求項１】
ホースカップリングのための連結部品であって、
環状要素と、
前記環状要素に且つ前記環状要素上に配置された多数のフック状連結要素であって、カップリングを形成する目的で対応する連結部品の対応する連結部品に係合するように構成された多数のフック状連結要素と、
前記フック状連結要素の内向き側に設けられた壁面であって、前記連結部品の主貫流方向に対して面取り角度で設けられた壁面と、
を備える、連結部品。
【請求項２】
前記面取り角度は、２度〜２５度の範囲内にあり、より好ましくは５度〜２０度の範囲内になり、最も好ましくは約１５度である、請求項１に記載の連結部品。
【請求項３】
前記フック状連結要素に設けられた位置決め面であって、前記環状要素の周方向に実質的に向けられた位置決め面をさらに備え、
前記位置決め面は、前記連結部品の前記主貫流方向に対して位置決め角度で設けられている、請求項１又は２に記載の連結部品。
【請求項４】
前記位置決め角度は、２度〜２０度の範囲内であり、好ましくは５度から１５度の範囲内であり、最も好ましくは約１０度である、請求項３に記載の連結部品。
【請求項５】
配置された対応する連結部品をロックするように構成されたロッキング要素をさらに備える、請求項１〜４のいずれか一項に記載の連結部品。
【請求項６】
前記ロッキング要素には、ばねが設けられている、請求項５に記載の連結部品。
【請求項７】
少なくとも６個のフック状連結要素を備え、好ましくは少なくとも８個のフック状連結要素を備える、請求項１〜６のいずれか一項に記載の連結部品。
【請求項８】
ホース又はホース部品を連結するためのホースカップリングであって、
請求項１〜７のいずれか一項に記載の連結部品を２個備える、ホースカップリング。
【請求項９】
ホース又はホース部品を連結するための方法であって、
請求項１〜７のいずれか一項に記載の連結部品を２個提供するステップと、
前記連結部品を連結するステップと、
を備える、方法。
【発明の詳細な説明】
【技術分野】
【０００１】
本発明は、ホースカップリングのための連結部品、例えば消防ホースのためのホースカップリングに関する。
【背景技術】
【０００２】
ホース又はホース部品、特に消火ホースが連結されることができる連結部品が使用される多様なカップリングが実際に周知である。ホース又はホース部品はこれによって、互いに、又は接続点、連結部品、及びマニホールドなどの他の点に連結される。そのような連結部品は通常、それらが他の連結部材の対応する要素と係合状態になることができるように具体化された歯又は一連のフック状要素を使用する。
【０００３】
ホースを連結するためのそのような周知な連結手段による問題は、ホースカップリングの連結部品の連結中及び／又は切り離し中にそれらの連結部品が位置付けするのが困難であることである。このことは、火災などの災害の場合にカップリングが使用される場合に特に重要である。それ故に、例えば、ホースカップリングの解除中に、連結部品が他の連結部品との位置合わせから外れる（pulled out）ことが実際に起こる。このことは、連結部品を互いから切り離されることをより困難にさせる、又は不可能にさえさせる。このことは、連結部品を切り離すために必要以上の労力が必要とされることを意味する。
【０００４】
それ故に、上記の問題を取り除く、又は上記の問題を少なくとも減少する連結部品を提供することが本発明の目的である。
【０００５】
本発明は、この目的のために、ホース又はホース部品を連結するのに適した、本発明による連結部品であって、
環状要素と、
前記環状要素に且つ前記環状要素上に配置された多数のフック状連結要素であって、カップリングを形成する目的で対応する連結部品の対応する連結部品に係合するように構成された多数のフック状連結要素と、
前記フック状連結要素の内向き側に設けられた壁面であって、前記連結部品の主貫流方向に対して面取り角度で設けられた壁面と、
を備える、連結部品を提供する。
【０００６】
ホース部品は、ホース又はホース部品の多様な種類に関連することができ、同様にチューブ又はパイプを意味するように理解される。本発明による連結部品は、いわゆる消防ホース又は消防ホース部品を連結するのに特に適する。
【０００７】
環状要素は、多数のフック状連結要素が設けられる連結部品のための安定性を提供する。環状要素の寸法は、ホース又はホース部品の種類に適合される。フック状要素は、カップリングが実現される場合に、対応する連結部品の対応するフック状連結要素と係合状態になることができるように構成される。現在の好ましい実施形態において、フック状要素は、環状要素と一体的に設けられており、好ましくは単一の部品から提供される。
【０００８】
本発明によれば、フック状連結要素には、内向き側に壁面が設けられる。この壁面は、連結部品の主貫流方向に対して面取り角度で設けられる。壁面は、環状要素の周囲又は輪郭を部分的に追従する。壁面を面取り角度で提供することは、２つの連結された連結部品の、連結、及び特に切り離しを単純化させる。実際には、これらの連結部品が多くの場合、ある程度の位置合わせから外れる（pulled out）ことは、特に連結部品の切り離し中であることが発見された。これにより、カップリングの２つの連結部品が相互にクランプされ、これらの連結部品が効果的に切り離されることができない、又は、さらなる労力をすることなく全く切り離されることができなくなる。これは、カップリングの解除を妨げる。ホースが（たとえば水で）満たされている場合、これはさらに困難になる。面取り角度を提供することにより、この不整合は効果的な方法で防止されることができる、又は効果的に利用することができる連結部品が実際に得られるように効果的に減らすことができることが見出された。
【０００９】
面取り角度は好ましくは、２度〜２５度の範囲内にあり、好ましくは５度〜２０度の範囲内にあり、面取り角度は最も好ましくは、約１５度である。そのような面取り角度により、連結部品の不整合（misalignment）が効果的な方法で防止されることができることを発見した。効果的でユーザーフレンドリーな方法で利用されることができる連結部品はこれによって提供される。
【００１０】
本発明による連結部品の特にさらなる利点は、従来のカップリングに対して実現されることができる重量の減少である。類似のカップリングにおいて、従来のシュトルツ式カップリング（Storz coupling）は約１１ｋｇの重量を有するのに対して、本発明による連結部を有する類似のカップリングは約４ｋｇ〜約５ｋｇの重量を有する。このことは、実現されることができる本発明によるカップリングをはるかにユーザーフレンドリーにし、さらに高速な連結および/または切り離しに貢献する。
【００１１】
本発明による好ましい実施形態において、連結部品は、フック状連結要素に設けられた位置決め面であって、環状要素の周方向に実質的に向けられた位置決め面をさらに備え、位置決め面は、連結部品の主貫流方向に対して位置決め角度で設けられる。
【００１２】
いわゆる位置決め面を有する本発明によるフック状連結要素を連結部品の主貫流方向に対して位置決め角度で設けることは、フック状連結要素の位置決め機能又は位置合わせ機能を提供する。そのような位置決め機能又は位置合わせ機能はそれによって、例えば連結部品のためにも提供される。連結部品はこれによって、カップリングの強度をかなり減少させることなく、対応する連結部品に効果的な方法で連結されることができる。そのような位置決め角度を適用することの利点は、カップリングがより迅速に実現することができることである。このことは、火災などの災害の場合に特に有利であり、そのような火災と戦うことができるようにするために、カップリングは迅速かつ効率的に実現されなければならない。
【００１３】
位置付け角度は好ましくは、２度〜２０度の範囲内であり、より好ましくは５度〜１５度の範囲内であり、位置付け角度は最も好ましくは、約１０度になる。そのような角度が、位置合わせ機能又は位置付け機構を効果的な方法で提供することが発見された。
【００１４】
本発明による有利な実施形態において、連結部品は、配置された対応する連結部品をロックするように構成されたロッキング要素を備える。
【００１５】
ロッキング要素を提供することによって、２つの連結部品の所望されない切り離しは避けられる。
【００１６】
ロッキング要素には、好ましくは、ばね又は類似のばね要素が設けられる。ばねは好ましくは、２つの連結部品が連結された場合に、それらの連結部品が互いに向けて移動し、本明細書において例えばばねによってロッキング要素を押しのける（press away）ように構成される。環状要素の周方向における例えば５度〜１５度の連結角度を通じた回転は、ロッキング要素を再び解除し、ばねによってブロック位置に移動させるであろう。これは、所望しない回転戻りを防ぐ。連結部品の切り離しは次いで、ばね又はばね要素における押圧によって可能になり、連結角度を通じた回転戻りによる切り離しを可能にする。これによって、効果的でロバストなカップリングが提供される。
【００１７】
本発明による有利な実施形態において、連結部品は、少なくとも６個のフック状連結要素を備え、好ましくは少なくとも８個のフック状連結要素を備える。
【００１８】
少なくとも６個の連結要素を提供することによって、適切なカップリングが効果的な方法で提供されることができることを発見した。連結要素の個数は好ましくは、環状要素の直径に適合される。異なる個数の連結要素も可能であることは明らかである。
【００１９】
本発明は、ホース又はホース部品を連結するためのホースカップリングであって、本発明による連結部品を少なくとも２個備える、ホースカップリングにさらに関する。
【００２０】
そのようなホースカップリングは、本発明による連結部品のために記載されたものと同じ又は類似の利点及び効果を提供する。
【００２１】
本発明によるホースカップリングは、ホースをアダプタ、パイプ、接続部品などに連結するために、且つ２つの別個のホース部品を互いに連結するために使用されることができる。さらに、別個のカップリングを有する複数のホース又は複数のホース部品を例えばカップリング部品に接続することも可能にする。
【００２２】
本発明はまた、ホース又はホース部品を連結するための方法であって、本発明の実施形態による連結部品を少なくとも２個提供するステップと、前記連結部品を連結するステップと、を備える、方法にさらに関連する。
【００２３】
方法は、連結部品及び／又はホースカップリングのために記載されたものと同じ効果及び利点を提供する。
【００２４】
本発明のさらなる利点、特徴、及び詳細は、添付の図面を参照しながら、その好ましい実施形態に基づいて説明される。
【図面の簡単な説明】
【００２５】
【図１】本発明によるホースカップリングのための２つの対応する連結部品を示す図である。
【図２】本発明によるホースカップリングのための２つの対応する連結部品の代替実施形態を示す図である。
【図２】本発明によるホースカップリングのための２つの対応する連結部品のさらなる代替実施形態を示す図である。
【発明を実施するための形態】
【００２６】
連結部品２には、環状要素４が設けられ、多数のフック状連結要素６（図１）が環状要素４に配置される。示された実施形態において、連結部品２には、８個の連結要素６が設けられる。各連結要素６には、フック１０、位置決め面１２、外側面１４、端面１６、接触面１７、及び面取り面又は壁面１８が設けられる。さらに、各連結要素６には、後方面２０及び外側面２２が設けられる。
【００２７】
使用時に、流れは、連結部品２を通じて貫流方向Ａ又は逆に反対方向において起こる。示された実施形態において、位置決め面１２は、貫流方向Ａに対して位置決め角度αで設けられる。示された実施形態において、面取り面１８は、貫流方向Ａに対して面取り角度βでさらに設けられる。示された実施形態において、位置決め角度αは約１０度であり、面取り角度βは約１５度である。本発明によれば、他の角度の適用も同様に可能であることは明らかであろう。それ故に、例えば、位置決め角度αを省くこと、すなわち、約０度の位置決め角度αを適用することが可能である。
【００２８】
さらに、ロッキング要素２４が設けられる。示された実施形態において、ロッキング要素２４には、ばね要素２６が設けられる。
【００２９】
連結部品２を連結させる目的で、貫流方向Ａにおいて互いに向かって２つの連結部品２が移動する場合に、８個の連結要素６のうちの１つが示された実施形態において半径方向外向きにロッキング要素２４を押すであろう。対応する連結部品２に対する連結方向Ｂにおける回転後に、ロッキング要素２４は解除され、自由位置に跳ね返るであろう。それによって、連結方向Ｂにおける反対の回転方向において回転戻りが妨げられる。効果的な方法で実現されることができるカップリング２８はそれによって、２つの連結部品２から提供される。
【００３０】
カップリング２８を切り離しさせる目的で、ロッキング要素２４は、自由位置から再び移動される。その後、反対の連結方向Bにおける回転は、約５度〜約３０度の連結角度を通じて実行されることができ、それによって、２つの連結部品２の切り離しが可能になる。位置決め角度α及び面取り角度βのおかげで、連結部品２は、互いに対して比較的容易に移動されることができ、効率的な切り離しが例えば可能になる。
【００３１】
代替的な連結部品３０（図２）は、ホースカップリング３２を可能にする。連結部品３０は、より大きなホース直径に特に適しており、示された実施形態において１０個の連結要素３４が設けられる。その他の点では、連結部品３０は、上記の連結部品２と同じ要素が設けられており、同じ動作を提供する。
【００３２】
さらなる代替的な連結部品３６（図３）はカップリング３８を可能にする。連結部品３６は、さらに大きなホース直径に特に適している。この実施形態において、連結部品３６には、１２個のフック状連結要素４０が設けられている。カップリング３８を実現するための連結部品３６の動作は、上記に示した連結部品２、３０のために記載された動作と同じである。
【００３３】
現在ところ好ましい実施形態において、接触面１７は、貫流方向Ａに対して直角である貫流面に対して角度γで設けられる。カップリング２８、３２、及び３８はこれによって、ある程度の力で実現されることができ、その結果、ロバストなカップリングが実際に得られる。従来の方法（図示せず）においてさらなるシーリングリングを提供することがさらに可能である。フック状連結要素６、３４、及び４０は好ましくは、リング４と一体的に設けられる。
【００３４】
本発明は、その上記の好ましい実施形態に決して限定されない。 求められる権利は、以下の特許請求の範囲によって定義されており、特許請求の範囲の範囲内で多くの変更が想定されることができる。それ故に、例えば、示されている８個、１０個、又は１２個以外の多数のフック状連結要素６、３４、及び４０を提供することが可能である。多数のフック状連結要素６、３４、及び４０の個数は好ましくは、環状要素４の直径に適合される。連結要素２、３０、３６は、アルミニウム又は別の適切な材料から提供されることができる。
【符号の説明】
【００３５】
２  連結部品
４  環状要素、リング
６  連結要素、フック状連結要素
１０  フック
１２  位置決め面
１４  外側面
１６  端面
１７  接触面
１８  面取り面、壁面
２０  後方面
２２  外側面
２４  ロッキング要素
２６  ばね要素
２８  カップリング
３０  連結部品
３２  連結要素
３２  ホースカップリング
３４  フック状連結要素
３６  連結部品
３８  カップリング
４０  フック状連結要素
【図１Ａ】
2021520475.tif 000003
【図１Ｂ】
2021520475.tif 000004
【図２Ａ】
2021520475.tif 000005
【図２Ｂ】
2021520475.tif 000006
【図３Ａ】
2021520475.tif 000007
【図３Ｂ】
2021520475.tif 000008
【国際調査報告】
2021520475.tif 000009
2021520475.tif 000010
2021520475.tif 000011